(57)【要約】【課題】周囲が明るい場合にも暗い場合にも高い視覚効果を得ることが可能な時計を提供する。【解決手段】計時手段としての時計本体部５０と、時計本体部５０に設置され、指令信号を受けて発光するＬＥＤと、ＬＥＤの周囲の明るさを検出してその明るさに応じた出力信号を出力するＣｄＳセンサ２３と、時計本体部５０において、所定の回転軸まわりに回転自在に設置され、時計本体部５０の周囲の光を反射し、指令信号を受けて回転する反射板５６と、少なくとも時計本体部５０によって得られる時刻に連動して、ＣｄＳセンサ２３からの出力信号に基づいて、時計本体部５０の周囲が明るいと判断した場合には、反射板５６を回転させる指令信号を反射板５６に出力し、周囲が暗いと判断した場合には、ＬＥＤを発光させる指令信号をＬＥＤに出力する制御回路１４とを有する。【選択図】　図１
2004061297.tif 000002
【特許請求の範囲】
【請求項１】
計時手段と、
前記計時手段に設置され、指令信号を受けて発光する発光手段と、
前記計時手段の周囲の明るさを検出して当該明るさに応じた出力信号を出力する光量検出手段と、
前記計時手段において、所定の回転軸まわりに回転自在に設置され、前記計時手段の周囲の光を反射し、指令信号を受けて回転する反射手段と、
少なくとも前記計時手段によって得られる時刻に連動して、前記光量検出手段からの出力信号に基づいて、前記計時手段の周囲が明るいと判断した場合には、前記反射手段を回転させる前記指令信号を前記反射手段に出力し、周囲が暗いと判断した場合には、前記発光手段を発光させる前記指令信号を前記発光手段に出力する制御手段と
を有する時計。
【請求項２】
指令信号を受けて所定のメロディを発生するメロディ発生手段をさらに有し、前記制御手段は、前記反射手段を回転させる際に、所定のメロディを発生させる前記指令信号を前記メロディ発生手段にさらに出力する
請求項１に記載の時計。
【請求項３】
前記制御手段は、前記計時手段の周囲が暗いと判断し、かつ、前記計時手段によって得られた所定の時間帯には、前記発光手段を発光させる前記指令信号を前記発光手段に出力しない
請求項１または２に記載の時計。
【請求項４】
前記発光手段は、前記計時手段において、当該発光手段からの出射光の少なくとも一部が前記反射手段に入射する領域に設置されている
請求項１〜３のいずれかに記載の時計。
【請求項５】
前記制御手段は、前記発光手段を発光させる際に、前記反射手段を回転させる前記指令信号を前記反射手段にさらに出力する
請求項４に記載の時計。
【発明の詳細な説明】
【０００１】
【発明の属する技術分野】
本発明は、たとえば所定時刻に発光体の発光等のからくり動作を行なう時計に関する。特定的には、本発明は、時計の周囲の明るさに応じた視覚効果が得られるように、明るさに応じてからくり動作を変更する時計に関する。
【０００２】
【従来の技術】
時計として、たとえば毎正時に、備え付けられたスピーカーから電子音によるメロディを演奏し、それに伴いたとえば文字板表面に設けられた発光体を発光させる等のパフォーマンスを実行するからくり時計が知られている。
このようなからくり時計においては、たとえばＣｄＳ（Ｃａｄｍｉｕｍ　Ｓｕｌｐｈｉｄｅ）センサによって時計の周囲の明るさを検出することも知られている。
【０００３】
従来は、光量が少なくなり暗くなったことをセンサにより検知した場合には、ユーザーが就寝する等の、パフォーマンスを行なう必要がない場合であるとして、正時であっても、メロディ演奏等の音を発するパフォーマンスは停止していた。また、音を発するパフォーマンスの停止に伴い、発光体の発光によるパフォーマンスも停止していた。
【０００４】
【発明が解決しようとする課題】
しかしながら、時計の周囲の光量が多く明るい場合には、その外光の影響により発光体の発光が認識されにくく、発光によりユーザーの注意を引くという視覚効果を十分に得ることはできない場合があった。
【０００５】
また、発光によるパフォーマンスは、周囲が暗い場合において効果的である。しかし、暗くなった場合に、音を発するパフォーマンスと発光パフォーマンスの両方を停止していたのでは、発光パフォーマンスによる視覚効果を十分に発揮することはできない。
【０００６】
したがって、本発明においては、周囲が明るい場合にも暗い場合にも高い視覚効果を得ることが可能な時計を提供することを目的とする。
【０００７】
【課題を解決するための手段】
本発明の目的を達成するために、本発明に係る時計は、計時手段と、当該計時手段に設置され、指令信号を受けて発光する発光手段と、前記計時手段の周囲の明るさを検出して当該明るさに応じた出力信号を出力する光量検出手段と、前記計時手段において、所定の回転軸まわりに回転自在に設置され、前記計時手段の周囲の光を反射し、指令信号を受けて回転する反射手段と、少なくとも前記計時手段によって得られる時刻に連動して、前記光量検出手段からの出力信号に基づいて、前記計時手段の周囲が明るいと判断した場合には、前記反射手段を回転させる前記指令信号を前記反射手段に出力し、周囲が暗いと判断した場合には、前記発光手段を発光させる前記指令信号を前記発光手段に出力する制御手段とを有する。
【０００８】
本発明においては、時刻を計時する計時手段に設置される発光手段が、制御手段からの指令信号を受けて発光する。
また、明るさに応じた出力信号を出力する光量検出手段によって、計時手段の周囲の明るさが検出される。
計時手段には、その周囲の光を反射する反射手段が、計時手段における所定の回転軸まわりに回転可能なように設置される。この反射手段は、制御手段からの指令信号を受けて回転する。
【０００９】
制御手段は、光量検出手段からの出力信号に基づいて、周囲が明るいか暗いかを判断する。制御手段は、毎正時等の、計時手段によって得られる時刻に連動して、明るい場合には、発光手段は発光させずに、反射手段を回転させる指令信号を反射手段に出力し、一方、暗い場合には、発光手段を発光させる指令信号を発光体に出力する。
【００１０】
【発明の実施の形態】
以下、本発明の実施の形態について、添付図面を参照しながら述べる。なお、以下では、一例として、本発明に係る時計が、標準電波を受信することにより時刻情報を入手し、かつ、この標準電波に含まれるカレンダー情報に基づいて、発光パターンを含むパフォーマンスのパターンを変化させる機能も有する場合について述べる。
【００１１】
第１実施形態
まず、本発明の第１実施形態について、全体的な概略構成から述べる。
【００１２】
〔回路構成〕
図１は、本発明の第１実施形態に係るからくり時計の制御系の概略構成図である。
図１に示す制御系は、標準電波受信系１１と、モニタースイッチ１２と、発振回路１３と、制御回路１４と、バッファ回路１７と、モード切替スイッチ１９と、メロディメモリ２１と、ＣｄＳセンサ２３と、音源回路２５と、スピーカーＳＰと、ステッピングモータ１２１，１３１と，反射板用モータＭとを有する。
【００１３】
また、図１に示す制御系には、図中に示すように、１２個のＬＥＤ（Ｌｉｇｈｔ　Ｅｍｉｔｔｉｎｇ　Ｄｉｏｄｅ）も含まれる。詳しくは後ほど述べるが、ＬＥＤ１ｓｐ，ＬＥＤ２ｓｐ，ＬＥＤ３ｓｐが、季節が春のときの発光パフォーマンスに用いられる春用ＬＥＤであり、同様に、ＬＥＤ１ｓｕ，ＬＥＤ２ｓｕ，ＬＥＤ３ｓｕが夏用ＬＥＤであり、ＬＥＤ１ａｕ，ＬＥＤ２ａｕ，ＬＥＤ３ａｕが秋用ＬＥＤであり、ＬＥＤ１ｗｉ，ＬＥＤ２ｗｉ，ＬＥＤ３ｗｉが冬用ＬＥＤである。
これら１２個のＬＥＤは、本発明における発光手段の一実施態様を構成する。
【００１４】
標準電波受信系１１は、例えば受信アンテナ１１ａと、送信所から送信されたタイムコードを含む標準電波を受信し、所定の処理を行いパルス信号Ｓ１１として制御回路１４に出力する長波受信回路１１ｂとから構成される。
この長波受信回路１１ｂは、例えばＲＦアンプ、検波回路、整流回路、および積分回路とから構成される。
この標準電波受信系１１により、制御回路１４は、年、月、日等のカレンダー情報と、標準時刻を入手することができる。その入手方法については後述する。
【００１５】
発振回路１３は、水晶発振器ＣＲＹ、キャパシタＣ２，Ｃ３、および抵抗Ｒ１により構成され、所定周波数の基本クロックを制御回路１４に供給する。
また、制御回路１４は、この基本クロックを用いてカウントされる、図示しない内部時計を有している。
【００１６】
ステッピングモータ１２１，１３１は指針を駆動するムーブメントに収容されており、それぞれバッファ回路１７を介して制御回路１４に接続されている。
本実施形態においては、ステッピングモータ１２１が秒針を駆動し、ステッピングモータ１３１が時針および分針を駆動する２モータ３針構成になっている。制御回路１４は、通常の運針時には、発振回路１３から供給される基本クロックに基づいてステッピングモータ１２１，１３１を駆動し、時刻修正等の指針位置修正時には、制御信号ＣＴＬ１，ＣＴＬ２を出力してステッピングモータ１２１，１３１をそれぞれ早送り駆動することにより指針位置を修正する。
【００１７】
反射板用モータＭは、制御回路１４からの指令を受けた場合に、後述する反射板を回転させるためのモータである。
ステッピングモータ１２１，１３１は、本発明における計時手段に相当する時計本体部５０の構成要素の一部である。
【００１８】
メロディメモリ２１は、からくり動作時に演奏する電子メロディのデータを収容するためのメモリである。
メロディメモリ２１には、春・夏・秋・冬の各季節用のメロディがそれぞれ４曲ずつ、計１６曲収容されており、その他にも、たとえば正月（１月１日）や子供の日（５月５日）等の特定日に演奏されるメロディが数曲分収容されている。
【００１９】
各メロディデータには、演奏用のデータの他に、発光させるＬＥＤを指定し、その発光タイミングを制御するための同期信号ＣＴも含まれている。この同期信号ＣＴは、たとえば、各メロディの所定の音の立ち上がりに同調するようにすればよい。
【００２０】
音源回路２５としてはたとえばＰＣＭ（Ｐｕｌｓｅ　Ｃｏｄｅ　Ｍｏｄｕｌａｔｉｏｎ）音源が用いられる。音源回路２５は、制御回路１４によりメロディメモリ２１に記憶されている演奏用データＰＬＤが供給されると、その演奏用データＰＬＤに基づいて、発音すべき曲のメロディ信号ＭＳを発生させる。
音源回路２５は、このメロディ信号ＭＳを、スピーカーＳＰを用いて実際に演奏する。
【００２１】
ＬＥＤは、前述のように、春用ＬＥＤ１ｓｐ，ＬＥＤ２ｓｐ，ＬＥＤ３ｓｐと、夏用ＬＥＤ１ｓｕ，ＬＥＤ２ｓｕ，ＬＥＤ３ｓｕ、秋用ＬＥＤ１ａｕ，ＬＥＤ２ａｕ，ＬＥＤ３ａｕ、および冬用ＬＥＤ１ｗｉ，ＬＥＤ２ｗｉ，ＬＥＤ３ｗｉの４つのグループに分けられている。
各ＬＥＤのアノードはグループごとに配線Ｌ１〜Ｌ４にそれぞれまとめて接続される。一方、配線Ｃ１〜Ｃ３のそれぞれに、各グループから１つずつ選択されたＬＥＤのカソードが接続される。
即ち、図１に図解のように、たとえば春用ＬＥＤ１ｓｐ，ＬＥＤ２ｓｐ，ＬＥＤ３ｓｐの各アノードは配線Ｌ１に接続される。また、たとえば春用ＬＥＤ１ｓｐ，夏用ＬＥＤ１ｓｕ，秋用ＬＥＤ１ａｕ，冬用ＬＥＤ１ｗｉの各カソードが、配線Ｃ１にまとめて接続される。
【００２２】
制御回路１４は、配線Ｌ１〜Ｌ４および配線Ｃ１〜Ｃ３を適宜スイッチングし、図示しない電源から各ＬＥＤへ電力を供給することによって、ＬＥＤの発光を制御する。上記のような構成においては、制御回路１４は、１つのＬＥＤのグループにおいては、３つのＬＥＤの発光を任意に制御することが可能である。
また、２つ以上のグループ内のＬＥＤを同時に発光させることももちろん可能である。ただし、図１に示す回路構成においては、１２個のＬＥＤの発光の組合せを全て任意に制御することはできない。
制御回路１４は、メロディデータが供給された場合に、選択されたＬＥＤのグループの３個のＬＥＤを適宜用いて、メロディデータに含まれている同期信号ＣＴに基づいた発光パターンを実現する。
【００２３】
ユーザーは、モード切替スイッチ１９を操作することにより、パフォーマンスのモードを切替えることができる。
たとえば、モード切替スイッチ１９が位置ＳＷ１にあるときには、四季連動パフォーマンスモードとなる。四季連動パフォーマンスモードにおいては、制御回路１４がカレンダー情報に基づいて季節を判別し、季節に応じたメロディデータを、メロディメモリ２１から選択する。そして、制御回路１４は、少なくともたとえば毎正時ごとのように、計時時刻に連動させて、選択したメロディデータに基づいたパフォーマンスを実行する。
【００２４】
選択されるパフォーマンスは、毎正時ごとにサイクリックに変化する。たとえば、春に実行される４種類のパフォーマンスを春パフォーマンス１〜４とすると、制御回路１４は、正時になったことを内部時計によって判断し、パフォーマンスを、毎正時ごとにたとえば春パフォーマンス１、春パフォーマンス２、春パフォーマンス３、春パフォーマンス４、春パフォーマンス１、・・・のように、順番に自動的に選択する。
【００２５】
また、四季連動パフォーマンスモードにおいては、カレンダー情報に基づいて入手した日付が予め規定した特定日であった場合には、演奏するメロディは毎正時常に同じとなる。特定日の場合には、制御回路１４は、上記のようにパフォーマンスをサイクリックに選択する代わりに、特定日ごとに予め１つずつ規定しているメロディを常に選択する。
特定日の特定日メロディに対応する発光パターンは、各季節用のメロディに対応した発光パターンとは異なり、好適には４つ全てのグループのＬＥＤを用いて構成される。
【００２６】
モード切替スイッチ１９が位置ＳＷ２にあるときには、サイクリックパフォーマンスモードとなる。サイクリックパフォーマンスモードにおいては、制御回路１４はカレンダー情報を入手せず、季節に応じて用意されている全１６種類のメロディを、季節に無関係に、毎正時ごとにサイクリックに選択する。
【００２７】
春の場合と同様に、各季節に対応するパフォーマンスをそれぞれ夏パフォーマンス１〜４（以下、季節ごとにＰ１〜４と略記する。）、秋Ｐ１〜４、冬Ｐ１〜４とする。詳細には、サイクリックパフォーマンスモード時には、選択されるパフォーマンスが、たとえば春Ｐ１、夏Ｐ１、秋Ｐ１、冬Ｐ１、春Ｐ２、夏Ｐ２、秋Ｐ２、冬Ｐ２、春Ｐ３、夏Ｐ３、秋Ｐ３、冬Ｐ３、春Ｐ４、夏Ｐ４、秋Ｐ４、冬Ｐ４、春Ｐ１、・・・のような順番で、正時ごとに自動的に変化する。
なお、本実施形態においては、たとえば、３〜５月を春、６〜８月を夏、９〜１１月を秋、１２、１、２月を冬とする。
【００２８】
モード切替スイッチ１９が位置ＳＷ３にあるときには、正時ごとのパフォーマンスによる報時を行なわないＯＦＦモードとなる。ただし、ＯＦＦモードにおいても、後述するモニタースイッチ１２からの入力があった場合には、前述したサイクリックパフォーマンスモードの内容でパフォーマンスが選択される。即ち、ＯＦＦモード時にモニタースイッチ１２が入る度に、選択されるパフォーマンスが、上記の１６種類のあいだでサイクリックに切替わる。
【００２９】
ＣｄＳセンサ２３は、本発明における光量検出手段の一実施態様に相当し、本発明に係るからくり時計の周囲の明るさを検出する。
ＣｄＳセンサ２３は、硫化カドミウムを用いたインピーダンス変化型の光センサであり、光量が多く明るいほど抵抗値が下がる。したがって、一例として、ＣｄＳセンサ２３を流れる電流の大きさをＣｄＳセンサ２３の出力信号とすれば、光量が多い場合には出力値が大きくなり、光量が少ない場合には出力値は小さくなる。制御回路１４はＣｄＳセンサ２３からの出力信号を入手し、たとえば、出力信号の値が所定のしきい値よりも大きい場合には周囲が明るいと判断し、しきい値以下の場合には暗いと判断する。
【００３０】
本第１実施形態においては、制御回路１４は、周囲が明るいと判断した場合には、正時ごとに、モード切替スイッチ１９により選択されているパフォーマンスのモードに対応して選択されたメロディを演奏させる。
また、制御回路１４は、メロディの演奏中、反射板用モータＭに回転指令信号を出力し、反射板を回転させる。
ただし、制御回路１４は、明るい場合にはＬＥＤは点灯させない。
【００３１】
制御回路１４は、周囲が暗いと判断した場合には、正時ごとに、モード切替スイッチ１９により選択されているパフォーマンスのモードに対応して選択されたメロディのメロディデータを入手する。入手したメロディデータに含まれる同期信号ＣＴに基づいて、制御回路１４は、演奏するメロディの季節に対応するＬＥＤを予め規定されたタイミングと順番で発光させるパフォーマンスを実行する。
ただし、周囲が暗い場合には、メロディの演奏は行なわれない。
また、本第１実施形態においては、周囲が暗い場合には、制御回路１４は反射板用モータＭに指令信号を出力せず、反射板を停止したままにする。
【００３２】
モニタースイッチ１２は、時刻に関係なく、選択しているパフォーマンスのモードの内容をモニターするためのスイッチである。
モニタースイッチ１２を押すと、モード切替スイッチ１９により選択されているパフォーマンスのモードに対応したパフォーマンスが、周囲の明るさに応じて実行される。即ち、四季連動パフォーマンスモードにおいては、周囲が明るい場合には、制御回路１４が入手している月と時刻の情報に基づいて選択されるメロディが演奏されると共に反射板が回転される。周囲が暗い場合には、選択されたメロディに対応するグループのＬＥＤが、そのメロディに対応する発光パターンによって発光する。
四季連動パフォーマンスモードにおいては、選択されるメロディの種類は報時時刻から次の報時時刻までの間は同じであるため、その間にモニタースイッチ１２を何度押しても、演奏されるメロディ、または実行される発光パターンの種類は変化しない。
【００３３】
サイクリックパフォーマンスモードの場合には、周囲が明るい場合には、モニタースイッチ１２を押すたびに、演奏されるメロディの種類が、たとえば前述のような順番でサイクリックに変化する。
モニタースイッチ１２を押すたびに、演奏されるメロディの種類がサイクリックに変化するため、周囲が暗い場合にも、メロディは演奏されないが、選択されたメロディの種類に応じてＬＥＤの発光パターンがサイクリックに変化する。
【００３４】
〔時計本体部〕
以下、本実施形態に係るからくり時計の時計本体部の構成について述べる。
図２は本実施形態に係るからくり時計５の構成を述べるための図であり、図２（ａ）がからくり時計５の正面図を、図２（ｂ）が図２（ａ）における断面Ｉ−Ｉから見た断面図を、それぞれ示している。ただし、説明のために、図２（ｂ）においては一部の構成要素の位置を図２（ａ）とは異ならせて描いている。
また、図３は、図２に示すからくり時計５の主要部の分解図である。
【００３５】
図２および図３に示すように、からくり時計５は、裏蓋５２と、中板５４と、反射板５６と、文字板支持板６０と、前板６２を、この順で重ねて設置した時計本体部５０を有する。
時計本体部５０は、本発明における計時手段の一実施態様に相当し、反射板５６は、本発明における反射手段の一実施態様に相当する。
リング状の反射板５６は、中板５４と文字板支持板６０との間で回転自在に設置されている。この反射板５６を挟み込んだ中板５４と文字板支持板６０とを、裏蓋５２と前板６２とでさらに挟み込むことにより、時計本体部５０は構成されている。
【００３６】
中板５４には、反射板用モータＭが、裏蓋５２と中板５４との間に位置するように設置される。
また、中板５４には、上述した制御回路１４等の各種回路を含む回路基板１０も設置される。
【００３７】
反射板５６は、内歯歯車となっている回転駆動板５５と一体的に構成されている。回転駆動板５５は、その内周側において、複数の支持ローラー７８によって支持されている。
反射板用モータＭの回転軸には歯車７５が設けられており、この歯車に噛合する歯車７６は、回転駆動板５５の内歯に噛合している。制御回路１４は、前述のように、からくり時計５の周囲が明るい場合には、毎正時等のからくり動作時に反射板用モータＭに指令信号を出力し、反射板５６を所定の回転数で回転させる。
【００３８】
文字板支持板６０には、その裏側、即ち裏蓋５２側にムーブメント７０が設置される。ムーブメント７０は、図示はしないが周知の中心止めねじによって文字板支持板６０に固定される。
文字板支持板６０の表側の中心部に形成されている凹部６０ａに、文字板７４が嵌め込まれ、その状態からさらに、ムーブメント７０の、文字板支持板６０の表側から文字板支持板６０を貫通した指針軸に、時針７２、分針７３、秒針７１の３つの指針が取付けられる。
【００３９】
ムーブメント７０には、前述した秒針用ステッピングモータ１２１および時分針用ステッピングモータ１３１と、これらの回転駆動力を指針に伝達するための歯車等の駆動機構が収容されている。ステッピングモータ１２１，１３１が回路基板１０の制御回路１４からの制御指令を受けて駆動されることによって、前述のように指針の駆動および位置修正が行なわれる。
【００４０】
また、図２に示すように、文字板支持板６０にはＣｄＳセンサ２３も設置される。ＣｄＳセンサ２３は、図示しない配線によって、回路基板１０の制御回路１４に接続される。
文字板支持板６０の表側から設置される前板６２の前面にガラス等の保護板を取付けることによって、指針やＣｄＳセンサ２３が保護される。
【００４１】
また、前述の１２個のＬＥＤ１〜３ｓｐ，１〜３ｓｕ，１〜３ａｕ，１〜３ｗｉを、配線板８１に設置配線したことにより構成される発光部５８が、反射板５６と文字板支持板６０との間の空間に配置される。
ＬＥＤ１〜３ｓｐとしてはたとえば波長５１８ｎｍの青緑色のＬＥＤが用いられ、これらはそれぞれ文字板７４における１２，４，８時の位置に配置される。
ＬＥＤ１〜３ｓｕとしてはたとえば波長４６５ｎｍの青色のＬＥＤが用いられ、これらはそれぞれ文字板７４における１，５，９時の位置に配置される。
ＬＥＤ１〜３ａｕとしてはたとえば波長５９０ｎｍの黄色のＬＥＤが用いられ、これらはそれぞれ文字板７４における２，６，１０時の位置に配置される。
ＬＥＤ１〜３ｗｉとしてはたとえば波長６６０ｎｍの橙色のＬＥＤが用いられ、これらはそれぞれ文字板７４における３，７，１１時の位置に配置される。
【００４２】
〔導光構造〕
図４は、図２（ｂ）の、１２時位置に配置されたＬＥＤ１ｓｐを中心とした一部の拡大図である。
図３および図４に示すように、文字板支持板６０は、その中心部に文字板支持部６０Ｂを有しており、文字板支持部６０Ｂの外側に、導光部６０Ｌをさらに有する。
本実施形態においては、導光部６０Ｌと、それよりも高さの高い文字板支持部６０Ｂとを、たとえば透明なアクリル樹脂等の材料により一体的に形成している。したがって、文字板支持板６０は、断面から見ると全体として凸形状になっている。
【００４３】
この凸部に相当する文字板支持部６０Ｂの表側には、文字板７４を嵌込むための凹部６０ａが形成されている。
また、文字板支持部６０Ｂの裏側にも同様に凹部が形成されている。したがって、断面から見ると導光部６０Ｌはリング状になっており、このリング状導光部６０Ｌの内周側、即ち文字板支持部６０Ｂの裏側に形成された凹状空間６０ＳＰに、発光部５８が配置される。
【００４４】
図４に示すように、配線板８１をねじ８５により文字板支持部６０Ｂにねじ止めすることによって、発光部５８が文字板支持板６０に装着される。
発光部５８の各ＬＥＤは、文字板支持板６０の外周側に向かって発光するように配置される。
【００４５】
文字板支持部６０Ｂの凹部６０ａには文字板７４が嵌込まれており、この文字板７４は、時計本体部５０のムーブメント等の内部機構が見えないようにするために、通常不透明である。したがって、ＬＥＤからの光を文字板７４側から直接認識することはできない。
以下では、ＬＥＤからの光を文字板７４側から間接的に認識可能とするための導光構造について、ＬＥＤとして春用ＬＥＤ１ｓｐを例に挙げて述べる。
【００４６】
図５は、文字板支持板６０の導光構造について述べるための図である。図５（ａ）が文字板支持板６０の部分斜視図であり、図５（ｂ）が導光部６０Ｌを表側から見た部分平面図であり、図５（ｃ）が文字板支持板６０と反射板５６とＬＥＤ１ｓｐとの関係を示す要部の断面図である。ただし、図５（ｃ）における各要素は模式的に描いているために、図４に示す形状とは異なっている部分も存在する。
【００４７】
前述のように、ＬＥＤ１ｓｐは、図５（ａ）に示す文字板支持部６０Ｂの裏側に形成されている空間６０ＳＰに配置される。ＬＥＤ１ｓｐから出射された光は、図５（ｂ）の矢印ＤＬによって示すように、ＬＥＤ１ｓｐの光の出射側に配置されている導光部６０Ｌの内周側から外周側に向かって進行する。また、リング状の導光部６０Ｌは、その厚さ方向が、ＬＥＤ１ｓｐからの出射光の光軸方向に直交するように配置される。導光部６０Ｌの表側の表面６０Ｓ、即ち被視認面には、図５（ａ），（ｂ）に示すように、表側から見て菱形部ＬＤを組合わせた形状になるような凸部６０Ｌｃが形成されている。
各菱形部ＬＤの各辺が、各凸部６０Ｌｃによって構成される。また、４つの凸部６０Ｌｃによって囲まれる部分が、図５（ｂ）に示す菱形部ＬＤ内の小菱形部ＳＤになる。
本実施形態においては、各凸部６０Ｌｃは光透過性である。たとえば、各凸部６０Ｌｃは、透明なアクリル樹脂を用いて射出成形することにより、導光部６０Ｌと一体的に形成する。
【００４８】
側面から見た場合に、ＬＥＤ１ｓｐの発光の中心ＬＣと、導光部６０Ｌの板厚方向の中心ＴＣの高さがほぼ同じであると、ＬＥＤ１ｓｐから出射される光の大部分が、導光部６０Ｌ内を通過して導光部６０Ｌの端部へ到達する。したがって、この場合に導光部６０Ｌの表側からＬＥＤ１ｓｐの光を認識することはほとんどできない。
【００４９】
本実施形態においては、凸部６０Ｌｃを利用してＬＥＤ１ｓｐからの出射光を表側に反射させるために、導光部６０Ｌの板厚方向の中心ＴＣよりもＬＥＤ１ｓｐの発光の中心ＬＣが表側に位置するように、ＬＥＤ１ｓｐを配置している。
これにより、より多くの、かつ高強度の光を、空気と各凸部６０Ｌｃとの屈折率の違いにより反射させて、導光部６０Ｌの被視認面側に導くことが可能になる。そのために、各凸部６０Ｌｃの形状は、図５（ｃ）に示すように、ＬＥＤ１ｓｐからの光を、導光部６０Ｌの半径方向に対して垂直に、即ち導光部６０Ｌの板厚方向に沿って、被視認面側に向けて反射可能な形状になっている。
【００５０】
図６は、反射板５６の導光構造について述べるための図である。図６（ａ）が反射板５６の部分斜視図であり、図６（ｂ）が反射板５６を表側から見た部分平面図であり、図６（ｃ）が文字板支持板６０と反射板５６とＬＥＤ１ｓｐとの関係を示す要部の断面図である。ただし、図６（ｃ）においても、図５（ｃ）の場合と同様に、各要素は模式的に描いているために、図４に示す形状とは異なっている部分も存在する。
【００５１】
図６（ａ），（ｂ）に示すように、反射板５６の表側の表面５６Ｓ、即ちＬＥＤ１ｓｐからの光の入射面には、半径方向に、半径方向に直交する断面が逆三角形状の複数の溝５６Ｇが形成されている。また、この溝５６Ｇを遮るように、複数の逆三角形状の反射面９０がさらに設けられている。
ＬＥＤ１ｓｐは、リング状の反射板５６の内周部側から半径方向外側に向かって発光する。
【００５２】
図６（ｃ）に示すように、反射板５６は、導光部６０Ｌの裏側に、所定距離をおいて対向するように配置される。
また、ＬＥＤ１ｓｐは、導光部６０Ｌの板厚方向の中心ＴＣよりもＬＥＤ１ｓｐの発光の中心ＬＣが表側に位置するように配置されている。したがって、ＬＥＤ１ｓｐの発光の中心ＬＣは、反射板５６の表面５６Ｓよりも表側に位置する。このため、ＬＥＤ１ｓｐが半径方向外側に向かって発光する場合にも、ＬＥＤ１ｓｐからの光を、ある程度効率的に表面５６Ｓに照射させることができる。
【００５３】
反射面９０は、図６（ｃ）に示すように、ＬＥＤ１ｓｐからの照射光を、反射板５６の半径方向に対して垂直に、即ち反射板５６の板厚方向に沿って、導光部６０Ｌの被視認面側に向けて反射可能な形状に形成される。
このような反射面９０および溝５６Ｇを有する反射板５６は、たとえば、プラスチック等の樹脂材料を射出成形することにより形成する。
また、溝５６Ｇおよび反射面９０が形成されている表面５６Ｓには、好適には銀パール蒸着塗装を施す。銀パール蒸着塗装とは、銀にパール（真珠色）の微粒塗料を混入させて、蒸着により塗装したものである。
【００５４】
導光部６０Ｌの被視認面に、菱形部ＬＤを構成する凸部６０Ｌｃが形成されているために、各凸部６０Ｌｃと外界の媒質との屈折率の違いにより導光部６０Ｌにおいて光が反射する場合には、その反射方向は様々な方向に変化する。
したがって、からくり時計５の周囲が明るい場合に、導光部６０Ｌの被視認面に入射する外光の一部は乱反射する。
【００５５】
導光部６０Ｌを透過して反射板５６に入射した外光は、銀パール蒸着塗装が施されている表面５６Ｓ、または、反射面９０によって反射され、再び導光部６０Ｌの被視認面側に出射する。
この場合にも、入射した光は乱反射され、様々な方向において反射した後に出射した光がユーザーに認識される。
【００５６】
したがって、導光部６０Ｌの被視認面においては光線状態が変化しており、文字板支持板６０の他の部分とは異なった反射状態がユーザーに認識されることになる。
反射板５６を回転させると、それに応じて反射板５６の表面５６Ｓにおける反射状態も変化するため、導光部６０Ｌおよび反射板５６による外光の変化に起因する視覚効果はさらに向上する。
このように、本実施形態に係る導光構造においては、ＬＥＤを発光させない場合においても、高い視認効果を得ることができる。
【００５７】
高い視認効果は、外光ではなく、ＬＥＤからの出射光を用いた場合にも同様に得ることができる。ＬＥＤ１ｓｐからの光は、その大部分が、光透過性の導光部６０Ｌを通過して反射板５６の表面５６Ｓに到達する。表面５６Ｓに入射した光は、表面５６Ｓおよび反射面９０によって反射され、ふたたび導光部６０Ｌを通過して導光部６０Ｌの表側に出射する。
このとき、本実施形態においては、表面５６Ｓには反射面９０が設けられているため、多くの光を反射板５６の半径方向に垂直な方向で、表側に反射することができる。
また、反射面９０による反射以外にも、銀パール塗装のパールの微粒子によって入射光が乱反射する効果により、反射板５６の半径方向に垂直な方向で表側に導かれる光が多くなる。
【００５８】
このように、本実施形態においては、導光部６０Ｌと反射板５６の形状と、それらとＬＥＤ１ｓｐとの位置関係、また、これらの相乗効果により、ＬＥＤ１ｓｐを直接視認できない場合にも、ＬＥＤ１ｓｐからの光を確実に視認することができる。
また、この構造を利用することによって、ＬＥＤの配置の自由度が増し、時計本体部５０のデザインの自由度を向上させることができる。
さらに、ユーザーには、反射板５６の回転や、反射板５６の表側に形成された反射面９０、ならびに凸部６０Ｌｃにより変化した光が認識されるため、発光によって得られるパフォーマンス効果が非常に高い。
【００５９】
なお、ＬＥＤ１ｓｐの輝度が高く、図５（ｃ）および図６（ｂ）に示すように光の出射角度θが大きいほど、ＬＥＤ１ｓｐからの光を視認し易くなることは言うまでもない。
本実施形態においては、一例として、春用ＬＥＤ１〜３ｓｐの出射角度θは３０°、輝度は４５００ｍｃｄであり、夏用ＬＥＤ１〜３ｓｕの出射角度θは３０°、輝度は１４００ｍｃｄであり、秋用ＬＥＤ１〜３ａｕの出射角度θは３４°、輝度は１３００ｍｃｄであり、冬用ＬＥＤ１〜３ｗｉの出射角度θは５０°、輝度は２５００ｍｃｄである。
【００６０】
また、ＬＥＤ１ｓｐの発光の中心ＬＣと、導光部６０Ｌの板厚方向の中心ＴＣとの距離は、短すぎても長すぎても、表面６０Ｓおよび表面５６Ｓに入射する光が減少する。好適には、導光部６０Ｌの板厚方向の中心ＴＣとの距離は、表面６０Ｓおよび表面５６Ｓに入射する光が最も多くなるように規定する。
菱形部ＬＤおよび反射面９０の密度についても、入射光が最も効率的に視認されるように規定する。
【００６１】
〔カレンダー情報入手方法〕
以下では、四季連動パフォーマンスモード時に必要とされるカレンダー情報の入手方法について述べる。
なお、本実施形態においては標準電波を受信することによりカレンダー情報を入手する形態について述べるが、図示しないカレンダー情報メモリ、または制御回路１４に所定年数分のカレンダー情報を収容しておき、そこから、制御回路１４の内部時計のカウントに応じてカレンダー情報を取り出すような構成にしてもよい。
【００６２】
標準電波によってカレンダー情報および標準時刻を入手する場合には、図７（ａ）に示すような形態の、日本標準時（ＪＳＴ）を高精度で伝える長波の標準電波（ＪＪＹ）を用いる。
具体的には、ＪＪＹのタイムコードは「１」信号、「０」信号、「Ｐ」信号の３種類の信号パターンから構成され、それぞれの信号パターンは、１秒（ｓ）中の１００％振幅期間幅によって区別されている。つまり、「１」信号を表わす場合には１秒（ｓ）の間に５００ｍｓ（０．５ｓ）だけ所定の周波数の信号が送信され、「０」信号を表わす場合には１秒（ｓ）の間に８００ｍｓ（０．８ｓ）だけ所定の周波数の信号が送信され、「Ｐ」信号を表わす場合には１秒（ｓ）の間に２００ｍｓ（０．２ｓ）だけ所定の周波数の信号が送信されてくる。
そして、受信状態が良好な場合には、標準電波受信系１１からは図７（ｂ）に示すように、標準電波の波形に応じたパルス信号として信号Ｓ１１が、長波受信回路１１ｂから制御回路１４に出力される。
【００６３】
なお、日本の標準電波ＪＪＹは、２００２年６月３０日現在、独立行政法人通信総合研究所（ＣＲＬ）のもとで運用されている。標準電波の周波数としては、これまで４０ｋＨｚのものが使用されてきたが、２００１年１０月１日からは、６０ｋＨｚの標準電波を送信する送信所も開局されている。
また、図７（ｂ）に示す、変調波であるパルス信号の振幅は最大１００％、最小１０％である。
【００６４】
次に、長波標準電波の送信データについて説明する。
図８は、標準電波信号のタイムコードの一例である。
図８に示す通り、タイムコードは１分１周期（１フレーム）としてこれを６０分割し、１秒間ごとに１ビットの情報を割り当てて送信している。
【００６５】
タイムコードが送信する情報は時、分、１月１日からの通算日、年（西暦下２桁）、曜日、うるう秒情報、時と分に対応するパリティ、予備ビット、停波予告情報であり、このうち時、分、１月１日からの通算日、年（西暦下２桁）、曜日に関しては２進数（ＢＣＤ（Ｂｉｎａｒｙ　Ｃｏｄｅｄ　Ｄｅｃｉｍａｌ　Ｎｏｔａｔｉｏｎ：２進化１０進法）正論理）として表わし送信する。従って、時には２４時間制ＪＳＴの時を表わすために６ビット、分には７ビット、通算日には１０ビット、年には８ビット、曜日には３ビット必要となる。
なお、秒信号については、秒は電波のパルス信号の立ち上がりとし、パルスの立ち上がりの５５％値（１０％値と１００％値の中央）が標準時の１秒信号に同期する。
【００６６】
Ｐ信号は１フレームに７回送信され、正分（０秒）に対応するものがマーカーＭと呼ばれ、９秒、１９秒、２９秒、３９秒、４９秒に対応するものがそれぞれポジションマーカーＰ１〜Ｐ５と呼ばれる。
なお、もう１つのポジションマーカーＰ０は、通常（非うるう秒時）は５９秒の立ち上がりに対応する。このＰ信号が続けて現れるのは１フレーム中１回で５９秒、０秒の時、つまりポジションマーカーＰ０、マーカーＭと続くときだけで、この続けて現れる位置が正分位置となる。つまり分・時データ等の時刻データはこの正分位置を基準としてフレーム中の位置が決まっているため、この正分位置の検出を正確に行なわないと時刻データを取り出すことはできない。
【００６７】
ただし、標準電波のフレームのフォーマットは毎分同じわけではなく、図８に示すように、毎時１５分および４５分時のフォーマットと、それ以外の分の時刻のフォーマットは異なっている。ＳＵ１、ＳＵ２と名付けられた予備ビットと、ＬＳ１、ＬＳ２と名付けられたうるう秒情報は図８（ａ）に示す１５分、４５分以外のフォーマットのみに含まれ、図８（ｂ）に示すように、呼び出し符号と停波情報が、年情報と曜日情報の代わりに１５分、４５分のフォーマットにのみ現れる。
【００６８】
このように、タイムコードを含む標準電波を、たとえば所定の時刻や、ＣｄＳセンサ２３によって外部が暗くなったと判断された時に受信し、そこから得られるパルス信号をデコードすることにより、月、日、曜日等のカレンダー情報や、標準時刻を入手することができる。
制御回路１４は、積算日に基づいて、月、日を判断し、季節と特定日の情報を入手する。
また、標準電波受信時に取得されたカレンダー情報は、図示しないＲＡＭ（Ｒａｎｄｏｍ　Ａｃｃｅｓｓ　Ｍｅｍｏｒｙ）等の記憶手段によって実現されるワーキングエリアに収容しておき、カレンダー情報取得ごとに上書きしていくことが、制御回路１４の処理の都合上好ましい。
なお、入手した標準時刻への指針位置の修正方法およびその機構については種種提案されている周知技術を用いればよいため、ここでの記載は省略する。
【００６９】
〔パフォーマンス実行処理〕
以下に、カレンダー情報を用いた、四季連動パフォーマンスモード時の処理について述べる。
図９は、本発明の第１実施形態における四季連動パフォーマンスの実行処理の流れを示すフローチャートの一例である。
なお、以下の処理は、特に断りがない限り、制御回路１４により実行される。また、メロディ演奏やＬＥＤ発光等のパフォーマンスが実行されている場合には、モニタースイッチ１２が押されることや報時時刻になっても、割込みは実行されないものとする。
からくり時計５が時刻を表示している場合には、制御回路１４は、所定のサンプリング間隔ごとに図示しないＲＡＭにアクセスし、そこに収容されているカレンダー情報を入手する（ステップＳＴ１）。
【００７０】
入手したカレンダー情報に基づいて、パフォーマンスに用いるメロディと、そのメロディに対応するＬＥＤのグループを選択する（ステップＳＴ２）。
選択されたＬＥＤのグループの発光パターンは、選択したメロディのメロディデータ中の同期信号ＣＴによって制御されるため、メロディと、ＬＥＤのグループが選択されれば、実行するパフォーマンスは実質的に選択されたことになる。
カレンダー情報に基づいた、季節に応じたメロディの選択方法については、図１０を参照して後述する。
【００７１】
パフォーマンスが選択された状態で、制御回路１４は、ＣｄＳセンサ２３からの出力を入手する（ステップＳＴ３）。
ＣｄＳセンサ２３からの出力信号としては、たとえば、ＣｄＳセンサ２３を流れる電流値を用いる。
この電流値をＣｄＳセンサ２３からの出力信号として用いた場合には、制御回路１４は、入手した電流の値が所定のしきい値以下かどうかを判断する（ステップＳＴ４）。
制御回路１４は、入手した値がしきい値以下であった場合には、からくり時計５の周囲が暗いと判断し、しきい値よりも大きかった場合には、明るいと判断する。
【００７２】
電流値がしきい値よりも大きく明るいと判断された場合には、まず、モニタースイッチ１２からの入力があるかどうかを判断する（ステップＳＴ５）。
ステップＳＴ５において、モニタースイッチ１２からの入力がない、即ちモニタースイッチ１２が押されていない場合には、制御回路１４は、内部時計の時刻を参照して、パフォーマンスを実行すべき時、たとえば正時であるかどうかを判断する（ステップＳＴ６）。
ステップＳＴ６において正時ではなかった場合には、ステップＳＴ１に戻り、再びカレンダー情報を入手した後に、明るさの判定を行なう。
【００７３】
ステップＳＴ６において正時であった場合、またはステップＳＴ５においてモニタースイッチ１２からの入力があった場合には、制御回路１４は、ステップＳＴ２において選択したメロディを演奏させると共に、反射板用モータＭに指令信号を出力し、反射板５６を回転させる（ステップＳＴ７）。
ただし、ステップＳＴ７においては、制御回路１４は、メロディが選択されたことによって選択されたグループのＬＥＤに、それらを発光させる指令信号は出力しない。
【００７４】
ステップＳＴ７においてパフォーマンスが実行された場合には、制御回路１４は、メロディデータに基づいて、メロディの終了時点においてメロディ演奏を終了させる。メロディ演奏終了に伴い、制御回路１４は反射板用モータＭへの指令信号の出力を停止し、反射板５６の回転を終了させ、待機状態になってからまたステップＳＴ１の処理に戻る（ステップＳＴ８）。
【００７５】
ステップＳＴ４において電流値がしきい値以下であり、暗いと判断した場合にも、ステップＳＴ５の場合と同様に、制御回路１４はまずモニタースイッチ１２からの入力があるかどうかを判断する（ステップＳＴ９）。
モニタースイッチ１２が押されていない場合には、内部時計の時刻を参照して、正時であるかどうかを判断する（ステップＳＴ１０）。
ステップＳＴ１０において正時ではなかった場合には、ステップＳＴ１に戻り、再びカレンダー情報を入手した後に、明るさの判定を行なう。
【００７６】
ステップＳＴ１０において正時であった場合、またはステップＳＴ９においてモニタースイッチ１２からの入力があった場合には、ステップＳＴ２において選択したメロディの同期信号ＣＴのみを用いて、制御回路１４は、対応するＬＥＤを発光させる指令信号を各ＬＥＤに出力する（ステップＳＴ１１）。
ただし、本第１実施形態においては、ステップＳＴ１１においてメロディは演奏せず、反射板５６も回転させない。
【００７７】
メロディデータが終了した時点において、同期信号ＣＴが制御回路１４に出力されなくなるため、ステップＳＴ１１における発光パフォーマンスも終了する（ステップＳＴ１２）。
発光パフォーマンスが終了すると、待機状態に戻り、制御回路１４は再びステップＳＴ１以下の処理を繰り返す。
【００７８】
図９におけるステップＳＴ２の、制御回路１４によるパフォーマンス選択の処理は、たとえば図１０に示すフローチャートに従って実行される。
まず、入手したカレンダー情報から、現在日が、予め規定してある特定日かどうかを判断する（ステップＳＴ２１）。
どの月・日が特定日であるかは図示しないＲＯＭ（Ｒｅａｄ−Ｏｎｌｙ　Ｍｅｍｏｒｙ）に記憶させておき、制御回路１４は、入手したカレンダー情報と、ＲＯＭに記憶してある特定日の月日とを比較することにより上記の判断を行なう。
特定日であった場合には、その特定日に応じた特定のメロディをメロディメモリ２１から選択して呼び出す（ステップＳＴ２２）。
この場合にも、選択したメロディに応じて、暗い場合に発光させるＬＥＤは予め規定されている。ただし、特定日メロディの場合には、発光に用いられるＬＥＤのグループは１つとは限らない。
【００７９】
ステップＳＴ２１において特定日ではないと判断した場合には、カレンダー情報に基づいた月の情報により、春かどうかを判断する（ステップＳＴ２３）。
もし春であった場合には、内部時計による時間情報と照らし合わせて、春メロディ１〜４の中から、時間に応じたメロディを選択する。同時に、周囲が暗い場合には発光させるＬＥＤとして、ＬＥＤ１〜３ｓｐを選択する（ステップＳＴ２４）。
【００８０】
ステップＳＴ２３において春ではないと判断した場合には、夏かどうかを判断する（ステップＳＴ２５）。
もし夏であった場合には、内部時計による時間情報と照らし合わせて、夏メロディ１〜４の中から、時間に応じたメロディを選択する。同時に、周囲が暗い場合には発光させるＬＥＤとして、ＬＥＤ１〜３ｓｕを選択する（ステップＳＴ２６）。
【００８１】
ステップＳＴ２５において夏ではないと判断した場合には、秋かどうかを判断する（ステップＳＴ２７）。
もし秋であった場合には、内部時計による時間情報と照らし合わせて、秋メロディ１〜４の中から、時間に応じたメロディを選択する。同時に、周囲が暗い場合には発光させるＬＥＤとして、ＬＥＤ１〜３ａｕを選択する（ステップＳＴ２８）。
【００８２】
ステップＳＴ２７において秋ではないと判断された場合には、季節は自動的に冬であると判断されるため、季節の判定は行なわず、内部時計による時間情報と照らし合わせて、冬メロディ１〜４の中から、時間に応じたメロディを選択する。同時に、周囲が暗い場合には発光させるＬＥＤとして、ＬＥＤ１〜３ｗｉを選択する（ステップＳＴ２９）。
以上の処理により、カレンダー情報に基づいて、季節または特定日を判定し、それらに応じたパフォーマンスを選択することができる。
【００８３】
また、図１１は、本発明の第１実施形態におけるサイクリックパフォーマンスモードの実行処理の流れを示すフローチャートの一例である。
図１１に示す処理も、特に断りがない限り、制御回路１４により実行される。図１１においても、メロディ演奏やＬＥＤ発光等のパフォーマンスが実行されている場合には、モニタースイッチ１２が押されることや報時時刻になっても、割込みは実行されないものとする。
サイクリックパフォーマンスモードにおいては、季節に関係なく実行するパフォーマンスを変化させる。したがって、制御回路１４は、季節を判定することなく、まず、ＣｄＳセンサ２３からの出力を入手する（ステップＳＴ３１）。
【００８４】
以下のステップＳＴ３２〜３６の処理は、図９におけるステップＳＴ４〜８の処理と同じである。
制御回路１４は、ＣｄＳセンサ２３からの出力値がしきい値以下かどうかを判断し（ステップＳＴ３２）、しきい値よりも大きかった場合にはモニタースイッチ１２からの入力があるかどうかを判断し（ステップＳＴ３３）、モニター入力がなかった場合には、正時かどうかを判断し（ステップＳＴ３４）、正時でない場合にはステップＳＴ３１へ戻る。
【００８５】
ステップＳＴ３３においてモニター入力があった場合、またはステップＳＴ３４において正時になったと判断した場合には、ＬＥＤを発光させることなく、選択されているメロディのみを演奏させると共に、反射板用モータＭに指令信号を出力し、反射板５６を回転させる（ステップＳＴ３５）。
パフォーマンスを規定するメロディの選択については、サイクリックパフォーマンスモードにおいては前述のようにパフォーマンスに利用されるメロディデータがサイクリックに変化するため、各メロディに番号を与えておき、この番号をカウントする図示しないメロディカウンタの値を所定条件で更新してゆき、このメロディカウンタの値に対応する番号のメロディを選択すればよい。
【００８６】
ステップＳＴ３６においてパフォーマンスが実行された場合には、制御回路１４は、メロディデータに基づいて、メロディの終了時点においてメロディ演奏を終了させると共に、反射板５６の回転を終了させる（ステップＳＴ３６）。
メロディ演奏および反射板５６の回転によるパフォーマンスが終了した後には、メロディカウンタを更新することによって、次に実行すべきパフォーマンスの情報を更新し、ステップＳＴ３１に戻る（ステップＳＴ３７）。
【００８７】
ステップＳＴ３２において電流値がしきい値以下であり、暗いと判断した場合のステップＳＴ３８〜４１の処理も、図９におけるステップＳＴ９〜１２の処理と同じである。
制御回路１４は、モニタースイッチ１２からの入力があるかどうかを判断し（ステップＳＴ３８）、モニター入力がない場合には正時かどうかを判断し（ステップＳＴ３９）、正時でない場合にはステップＳＴ３１へ戻る。
【００８８】
ステップＳＴ３９において正時であった場合、またはステップＳＴ３８においてモニタースイッチ１２からの入力があった場合には、選択されているメロディの同期信号ＣＴのみを用いて、対応するＬＥＤを発光させるパフォーマンスのみを行なう（ステップＳＴ４０）。
メロディデータ終了に伴い発光パフォーマンスが終了すると、次に実行すべきパフォーマンスの情報を更新するために、ステップＳＴ３７へ進む（ステップＳＴ４１）。
【００８９】
以上のように、本第１実施形態によれば、周囲が明るくＬＥＤの発光を認識しづらい場合にも、反射板５６を回転させて導光部６０Ｌの被視認面において外光を変化させることによって、高い視覚効果を得ることができる。また、明るい場合にはＬＥＤが発光しないため、電力消費量が低下する。
周囲が暗い場合には、ＬＥＤを発光させることによって、ＬＥＤの発光効果を十分に活用することができ、高い視覚効果を得ることができる。また、暗い場合には反射板５６を回転させないために駆動音が発生せず、またメロディも演奏しないために、不要にユーザーの注意を引くことがない。
このように、本第１実施形態においては、明るい場合と暗い場合のいずれの場合においても高い視覚効果を得ることができる。また、明るい場合と暗い場合とで異なるイメージのパフォーマンスを、制御回路１４の処理内容を変化させるだけで容易に提供することができる。
【００９０】
さらに、本第１実施形態においては、季節または特定日に応じて、演奏されるメロディまたはＬＥＤの発光パターンが自動的に変化する。したがって、ユーザーに多様なパフォーマンスを自動的に提供することができ、結果的にユーザーに新鮮味のあるからくり動作を提供することができる。
また、メロディおよびＬＥＤの色を適宜選択することによって、季節感のあるパフォーマンスを容易に提供することもできる。
さらに、本第１実施形態によれば、たとえばデザイン上の要求からＬＥＤを直接視認できない配置にした場合にも、ＬＥＤからの光を確実に視認することができ、発光パフォーマンスの効果を向上させることが可能である。
【００９１】
第２実施形態
上記の第１実施形態においては、周囲が暗い場合においても、正時ごとにＬＥＤは常に発光していた。本発明の第２実施形態に係る時計は、周囲が暗く、かつ所定の時間帯にはＬＥＤの発光も停止する時計である。
【００９２】
第２実施形態においては、第１実施形態において述べたからくり時計５の制御回路１４は、からくり時計５の周囲が暗いと判断し、かつ、内部時計によって得られる、たとえば正時等のパフォーマンスを行なう時刻が、あらかじめ規定してあるＬＥＤ発光禁止時間帯内であった場合には、ＬＥＤを発光させる指令信号を出力しない。
パフォーマンスを行なう時刻が、ＬＥＤ発光禁止時間帯ではなかった場合には、第１実施形態の場合と同様に、制御回路１４は、ＬＥＤを発光せる出力信号を、選択されたＬＥＤに出力する。
それ以外のからくり時計５の全体構成は第１実施形態の場合と同じであるので、ここでは詳細な記述は省略する。
【００９３】
図１２および図１３は、本第２実施形態における四季連動パフォーマンスモードならびにサイクリックパフォーマンスモードにおける制御回路１４の実行処理の流れを示すフローチャートの一例である。
図１２に示す四季連動パフォーマンスモードのフローチャートにおけるステップＳＴ１〜１０は、図９に示す第１実施形態の場合の四季連動パフォーマンスモードのフローチャートのステップＳＴ１〜１０と同じである。したがって、ここでは詳細な記述は省略する。
【００９４】
図１２のステップＳＴ１０において正時であると判断した場合には、制御回路１４はさらに、その時刻が、たとえば２：００〜５：００ａ．ｍ．等の、予め定めてあるＬＥＤ発光禁止時間帯内であるかどうかを判断する（ステップＳＴ５０）。
ＬＥＤ発光禁止時間帯内であった場合には、発光パフォーマンスは行なわず、待機状態に戻り、再びステップＳＴ１以下の処理を繰返す。
【００９５】
ステップＳＴ５０においてＬＥＤ発光禁止時間帯内ではなかった場合には、ステップＳＴ１１に進み、ステップＳＴ２において選択したメロディに対応するＬＥＤを発光させる。
ステップＳＴ１２において、選択したメロディデータが終了した時点において発光パフォーマンスも終了すると、ステップＳＴ１に戻る。
【００９６】
図１３に示すサイクリックパフォーマンスモードのフローチャートにおいても、ステップＳＴ３１〜３９は、図１１に示す第１実施形態の場合のサイクリックパフォーマンスモードのフローチャートのステップＳＴ３１〜３９と同じである。したがって、ここでは詳細な記述は省略する。
図１３のステップＳＴ３９において正時であると判断した場合には、制御回路１４は、図１２におけるステップＳＴ５０の場合と同様に、その時刻が、ＬＥＤ発光禁止時間帯内であるかどうかを判断する（ステップＳＴ６０）。
ＬＥＤ発光禁止時間帯内であった場合には、発光パフォーマンスは行なわず、待機状態に戻り、再びステップＳＴ３１以下の処理を繰返す。
ステップＳＴ６０においてＬＥＤ発光禁止時間帯内でなかった場合には、図１１の場合と同様に、ステップＳＴ４０において、選択した発光パターンで対応するＬＥＤを発光させ、ステップＳＴ４１においてＬＥＤの発光パフォーマンスが終了した後には、ステップＳＴ３７に進んで次に実行すべきパフォーマンスを更新する。
【００９７】
本第２実施形態によれば、周囲が暗く、かつ就寝等の理由により、ユーザーが発光パフォーマンスを視認しない可能性が高い時刻においてはＬＥＤを発光させない。したがって、無駄な発光による電力消費を抑制することができる。また、暗い場合における発光パフォーマンスの効果を十分に得ることができると同時に、ユーザーの就寝の妨げとなることもない。
【００９８】
変形形態
第１および第２実施形態のからくり時計５は、ＬＥＤを発光させるときには、反射板５６は回転させていなかった。本発明の変形形態に係るからくり時計は、ＬＥＤを発光させる場合に、同時に反射板５６も回転させるからくり時計である。
本変形形態においては、制御回路１４は、メロディデータに基づいてＬＥＤを発光させている間、反射板用モータＭにも同時に指令信号を出力して、反射板５６を回転させる。
反射板５６を回転させる際の駆動音をなるべく小さくするために、歯車ではなく、プーリとベルト等の、駆動音の小さい駆動手段を用いて反射板５６を回転させてもよい。
変形形態に係るからくり時計のその他の全体構成は第１、第２実施形態の場合と同じであるため、詳細な説明は省略する。
【００９９】
制御回路１４の処理を表わすフローチャートも、図９〜１３とほぼ同じであり、単に、ステップＳＴ１１およびステップＳＴ４０において、ＬＥＤを発光させると同時に反射板５６を回転させることが追加されるだけである。したがって、その他の詳細な説明はここでは省略する。
【０１００】
ＬＥＤによる発光パフォーマンスが行なわれている間に反射板５６を回転させると、外光を利用する場合と同様に、ＬＥＤからの出射光が、反射板５６を回転させない場合よりもさらに変化してユーザーに認識されるため、発光パフォーマンスによる視認効果を、さらに向上させることができる。
【０１０１】
なお、本発明は上記の実施形態に限定されず、特許請求の範囲内で適宜変更可能である。たとえば、パフォーマンスのグループは四季に応じた４つのグループに限定されず、月ごとに設定してもよい。実施形態において記述したパフォーマンスは、たとえば定時における人形や文字板かざりの動作等の他のからくり動作と同期して行なうことも可能である。
また、アラーム機構を組み込むことにより、ユーザーが指定した任意の時間に、周囲の明るさに応じたパフォーマンスを実行させることも可能である。この場合には、図１２および図１３に示すフローチャートのステップＳＴ５０およびステップＳＴ６０において、入手したアラーム時刻がＬＥＤ発光禁止時間帯内であった場合にも、制御回路１４は、ＬＥＤを発光させる指令信号を、選択されたＬＥＤに出力するようにすればよい。
【０１０２】
さらには、ＬＥＤの各グループにおけるＬＥＤの数や色も任意である。ＬＥＤは、ユーザーから直接視認可能な場所に設置してもよいことは言うまでもない。ＬＥＤの代わりに、電球等の他の発光体を用いることも可能である。さらに、ＬＥＤは、光の出射方向が、直接被視認面側を向くように配置してもよい。
時計本体部５０の構成要素の形状や材料についても、適宜変更可能である。たとえば、反射板５６は金属であってもよい。
また、指針位置を自動修正しない、通常のクォーツ時計または機械時計に本発明を適用することももちろん可能である。
【０１０３】
【発明の効果】
以上のように、本発明によれば、周囲が明るい場合にも暗い場合にも高い視覚効果を得ることが可能な時計を提供することができる。
【図面の簡単な説明】
【図１】図１は、本発明の一実施形態に係るからくり時計の制御系の概略構成図である。
【図２】図２は本発明の一実施形態に係るからくり時計の構成を示す図であり、図２（ａ）が正面図を、図２（ｂ）が図２（ａ）における断面Ｉ−Ｉから見た断面図を示している。
【図３】図３は、図２に図解したからくり時計の主要部の分解図である。
【図４】図４は、図２（ｂ）の部分拡大図である。
【図５】図５は本発明に係る導光構造を説明するための図であり、図５（ａ）が文字板支持板の部分斜視図であり、図５（ｂ）が導光部を表側から見た部分平面図であり、図５（ｃ）が文字板支持板と反射板とＬＥＤとの関係を示す要部の断面図である。
【図６】図６は本発明に係る導光構造を説明するための図であり、図６（ａ）が反射板の部分斜視図であり、図６（ｂ）が反射板を表側から見た部分平面図であり、図６（ｃ）が文字板支持板と反射板とＬＥＤとの関係を示す要部の断面図である。
【図７】図７は、標準電波の信号パターンを示す図であり、図７（ａ）は標準電波の波形の例を示しており、図７（ｂ）は図７（ａ）に示す波形に応じたパルス信号を示している。
【図８】図８は標準電波のタイムコードの一例を示す図であり、図８（ａ）は毎時１５分、４５分以外のフォーマットを示しており、図８（ｂ）は毎時１５分、４５分におけるフォーマットを示している。
【図９】図９は、本発明の第１実施形態における四季連動パフォーマンスモード時の、制御回路の処理の流れを示すフローチャートの一例である。
【図１０】図１０は、図９に示すフローチャートにおけるパフォーマンス選択処理の流れを示すフローチャートの一例である。
【図１１】図１１は、本発明の第１実施形態におけるサイクリックパフォーマンスモード時の、制御回路の処理の流れを示すフローチャートの一例である。
【図１２】図１２は、本発明の第２実施形態における四季連動パフォーマンスモード時の、制御回路の処理の流れを示すフローチャートの一例である。
【図１３】図１３は、本発明の第２実施形態におけるサイクリックパフォーマンスモード時の、制御回路の処理の流れを示すフローチャートの一例である。
【符号の説明】
１０…回路基板
１１…標準電波受信系
１２…モニタースイッチ
１３…発振回路
１４…制御回路
１９…モード切替スイッチ
２１…メロディメモリ
２５…音源回路
ＳＰ…スピーカー
１７…バッファ回路
５０…時計本体部
７０…ムーブメント
７１…秒針
７２…時針
７３…分針
１２１…秒針用ステッピングモータ
１３１…時分針用ステッピングモータ
Ｍ…反射板用モータ
５２…裏蓋
５４…中板
５５…回転駆動板
５６…反射板
５６Ｇ…溝
９０…反射面
６０…文字板支持板
６０Ｂ…文字板支持部
６０Ｌ…導光部
６０ＬＣ…凸部
７４…文字板
７５，７６…歯車
７８…支持ローラー
５８…発光部
１ｓｐ，２ｓｐ，３ｓｐ…春用ＬＥＤ
１ｓｕ，２ｓｕ，３ｓｕ…夏用ＬＥＤ
１ａｕ，２ａｕ，３ａｕ…秋用ＬＥＤ
１ｗｉ，２ｗｉ，３ｗｉ…冬用ＬＥＤ
【図１】
2004061297.tif 000003
【図２】
2004061297.tif 000004
【図３】
2004061297.tif 000005
【図４】
2004061297.tif 000006
【図５】
2004061297.tif 000007
【図６】
2004061297.tif 000008
【図７】
2004061297.tif 000009
【図８】
2004061297.tif 000010
【図９】
2004061297.tif 000011
【図１０】
2004061297.tif 000012
【図１１】
2004061297.tif 000013
【図１２】
2004061297.tif 000014
【図１３】
2004061297.tif 000015